(57)【要約】 【課題】  下皿に貯留されている遊技球を上皿に移し替えることを容易に実行でき、なおかつ、皿の紛失を防止することが可能な遊技機を提供する。【解決手段】  遊技機本体２１の前面側に、入賞に応じて遊技者に払い出される遊技球を受け入れて貯留する上皿２０と、この上皿２０の下方で、前記上皿２０の余剰遊技球を受け入れて貯留する下皿２２とを前面側に設置した遊技機において、下皿２２は、遊技機本体から着脱自在であり、取外した場合に上皿２０の下方から上方まで揺動可能とする下皿揺動支持手段３００で支持した。【選択図】  図３
2006204790.tif 000002
【特許請求の範囲】
【請求項１】
遊技機本体の前面側に、入賞に応じて遊技者に払い出される遊技球を受け入れて貯留する上皿と、この上皿の下方で、前記上皿の余剰遊技球を受け入れて貯留する下皿とを前面側に設置した遊技機において、
前記下皿は、前記遊技機本体から着脱自在であり、取外した場合に前記上皿の下方から上方まで揺動可能とする下皿揺動支持手段で支持したことを特徴とする遊技機。
【請求項２】
請求項１に記載の遊技機において、
前記下皿揺動支持手段は、前記上皿の下面を支点として回動自在に一端が支持された第１のリンクアームと、前記下皿の側面を支点として回動自在に一端が支持された第２のリンクアームとから成り、
前記第１のリンクアームの他端は、前記第２のリンクアームの他端に回動自在に連結されていることを特徴とする遊技機。
【請求項３】
請求項１又は２に記載の遊技機において、前記下皿を所定の位置に固定する固定手段とを設けたことを特徴とする遊技機。
【請求項４】
請求項１から３のいずれかに記載の遊技機において、
前記遊技機本体には、前記下皿を案内するガイドレールを備えた一対の保持部材を設け、
前記下皿には、前記ガイドレールに沿って前記保持部材に嵌め込み可能な凹部を設けたことを特徴とする遊技機。
【請求項５】
請求項４に記載の遊技機において、
前記ガイドレールまたは前記保持部材に設けられ、前記下皿の有無を検知する検知手段と、
前記検知手段からの検知情報に基づいて遊技球の払い出しを行う払い出し許可手段とを有することを特徴とする遊技機。
【発明の詳細な説明】
【技術分野】
【０００１】
本発明は、遊技機に関し、詳しくは、遊技媒体（コイン、遊技球等）が供給される受け皿を備えた遊技機に関する。
【背景技術】
【０００２】
一般に、この種の遊技機では、入賞したときに払い出される遊技媒体を受け入れるための受け皿を備える。例えば、遊技媒体として遊技球を用いるパチンコ機では、入賞したときに払い出す遊技球を受け入れるため、遊技機の前面下部に上下２つの受け皿が設けられる。
【０００３】
上方の受け皿（上皿）は、入賞により払い出された遊技球を受け入れて貯留すると共に、遊技球発射装置まで遊技球を導く案内路としての役割を果たす。一方、下方の受け皿（下皿）は、例えば、特定の入賞により多量の遊技球が一度に払い出される場合など、上皿が満杯となったときの余剰球を受け入れて、貯留するために設けられている。
【０００４】
また、下皿に遊技球が貯留されているのに対し、上皿の遊技球が空になった場合、遊技を継続するためには、上皿に下皿の遊技球を補給する必要があり、遊技者は、下皿の遊技球を手で掴んで、上皿に運び入れる必要がある。
【０００５】
このような不満を解消するべく、遊技者の手間を少なくするものが必要となる。
【０００６】
このため、遊技者に提供される新たな遊技機として、下皿として遊技媒体を収納して持ち運ぶ移動収納箱を収納する空間を設けたり（特許文献１参照）、下皿を遊技機本体から着脱自在にしたものが提案されている（特許文献２参照）
【特許文献１】特開平１０−１７９８８２号公報
【特許文献２】特開２００３−３４００８７号公報
【発明の開示】
【発明が解決しようとする課題】
【０００７】
しかしながら、上記の遊技機では、下皿に貯留された遊技球を上皿に容易に移し替えられるものの、遊技機から皿が着脱可能であるので、皿を紛失するという問題があった。
【０００８】
本発明は、上記従来技術の課題を鑑みてなされたものであり、下皿に貯留されている遊技球を上皿に移し替えることを容易に実行でき、なおかつ、皿の紛失を防止することが可能な遊技機を提供することを目的とする。
【課題を解決するための手段】
【０００９】
（１）  遊技機本体の前面側に、入賞に応じて遊技者に払い出される遊技球を受け入れて貯留する上皿と、この上皿の下方で、前記上皿の余剰遊技球を受け入れて貯留する下皿とを前面側に設置した遊技機において、前記下皿は、前記遊技機本体から着脱自在であり、取外した場合に前記上皿の下方から上方まで揺動可能とする下皿揺動支持手段で支持したことを特徴とする遊技機。
【００１０】
（１）の発明によれば、着脱自在な下皿に上皿まで揺動可能とする下皿揺動支持手段で支持しているので、例えば、遊技者の手によって遊技球を上皿に運び入れるために、下皿に貯留されている遊技球を手で掴むことなく、下皿に貯留されている遊技球を上皿に移し替えることを容易に実行できる。また、着脱自在な下皿に、下皿揺動支持手段で支持しているので、皿の紛失を防止することが可能な遊技機を提供することができる。
【００１１】
（２）  （１）に記載の遊技機において、前記下皿揺動支持手段は、前記上皿の下面を支点として回動自在に一端が支持された第１のリンクアームと、前記下皿の側面を支点として回動自在に一端が支持された第２のリンクアームとから成り、
前記第１のリンクアームの他端は、前記第２のリンクアームの他端に回動自在に連結されていることを特徴とする遊技機。
【００１２】
（２）の発明によれば、下皿揺動支持手段を回動自在に端部を連結した２つのリンクアームとしている。例えば、遊技球が貯留され重くなった下皿であっても、容易に上皿付近に移動および回動させることができるので、より容易に下皿に貯留されている遊技球を上皿に移し替えを実行できる。
【００１３】
（３）  （１）又は（２）に記載の遊技機において、前記下皿を所定の位置に固定する固定手段とを設けたことを特徴とする遊技機。
【００１４】
（３）の発明によれば、着脱自在な下皿を所定の位置に固定する固定手段を設けることで、下皿を容易に固定することができるので、遊技中に下皿が不安定に動くなどの遊技者の遊技に支障をきたすことがない遊技機を提供すること可能である。
【００１５】
（４）  （１）から（３）のいずれかに記載の遊技機において、前記遊技機本体には、前記下皿を案内するガイドレールを備えた一対の保持部材を設け、前記下皿には、前記ガイドレールに沿って前記保持部材に嵌め込み可能な凹部を設けたことを特徴とする遊技機。
【００１６】
（４）の発明によれば、遊技機本体にガイドレールを備えた一対の保持部材を設け、下皿にガイドレールに沿って保持部材に嵌め込み可能な凹部を設けることで、ガイドレールに沿って下皿を着脱可能となり、より容易に下皿を着脱することが可能である。
【００１７】
（５）  （４）に記載の遊技機において、前記ガイドレールまたは前記保持部材に設けられ、前記下皿の有無を検知する検知手段と、前記検知手段からの検知情報に基づいて遊技球の払い出しを行う払い出し許可手段とを有することを特徴とする遊技機。
【００１８】
（５）の発明によれば、下皿の有無を検知する検知手段と、検知情報に基づいて遊技球の払い出しを行う払い出し許可手段を有しているので、下皿がないのにも拘わらず、遊技球が払い出されてしまうことを確実に防止することが可能である。
【発明の効果】
【００１９】
本発明によれば、着脱自在な下皿に、上皿の上まで揺動可能とする下皿揺動支持手段を連結することで、下皿に貯留されている遊技球を上皿に移し替えることを容易に実行できる。また、着脱自在な下皿に、下皿揺動支持手段を連結しているので、皿の紛失を防止することが可能な遊技機を提供することができる。
【発明を実施するための最良の形態】
【００２０】
［遊技機の構成］
本実施形態における弾球遊技機の概観を示す正面図を図１に示す。尚、以下において説明する実施形態においては、本発明に係る弾球遊技機に好適な実施形態として本発明をデジタルパチンコ遊技機（デジパチ、第１種パチンコ遊技機とも称される。）に適用した場合を示す。
【００２１】
パチンコ遊技機１０には、遊技機本体としての本体枠１２および本体枠１２に組み込まれた遊技盤１４と、遊技機本体の前面に設けられた上皿２０及び下皿２２と、下皿２２の右側に設けられた発射ハンドル２６と、が配置され、上皿２０には、遊技球の貸し出し、遊技球の払出し（賞球）を行うための払出口２０ａが形成されており、下皿２２には、余剰球口（図示せず）が形成されており、所定の条件が成立した場合には、遊技球が排出されることとなる。また、遊技盤１４の前面には複数の障害釘（図示せず）が打ちこまれている。
【００２２】
更には、発射ハンドル２６は本体枠１２に対して回動自在に設けられており、遊技者によって発射ハンドル２６が操作されることによりパチンコ遊技を進めることができる。また、発射ハンドル２６の裏側には、発射ソレノイド（図示せず）が設けられている。
【００２３】
更にまた、発射ハンドル２６の周縁部には、タッチセンサ（図示せず）が設けられている。このタッチセンサが触接されたときには、遊技者により発射ハンドル２６が握持されたと検知される。発射ハンドル２６が遊技者によって握持され、かつ、時計回り方向へ回動操作されたときには、その回動角度に応じて発射ソレノイドに電力が供給され、上皿２０に貯留された遊技球が遊技盤１４に順次発射される。
【００２４】
尚、発射ハンドル２６に設けられるタッチセンサは、遊技者によって発射ハンドル２６が握持されたと判別できるものであればよく、光学的に検知するものや、熱により検知するもの等、センサの種類を問わない。
【００２５】
発射された遊技球は、遊技盤１４上に設けられたガイドレール３０に案内されて遊技盤１４の上部に移動し、その後、上述した複数の障害釘との衝突によりその進行方向を変えながら遊技盤１４の下方に向かって落下する。このように、ガイドレール３０に囲まれ、遊技球が転動可能な領域を遊技領域と称する。
【００２６】
また、遊技盤１４の下部には、遊技球の一般入賞口５６ａ〜５６ｄが設けられ、この一般入賞口５６ａ〜５６ｄの近傍には、始動口４４が設けられ、この始動口４４の下部には、大入賞口３９が設けられ、この大入賞口３９には、開閉自在なシャッタ４０が設けられている。
【００２７】
また、上述した始動口４４、一般入賞口５６ａ〜５６ｄ、大入賞口３９における所定の領域に遊技球が入賞又は通過したときには、それぞれの入賞口の種類に応じて予め設定されている数の遊技球が上皿２０又は下皿２２に払い出される。
【００２８】
上皿２０は、遊技盤上の各入賞領域に遊技球が入賞すると、それに応じて払い出される遊技球（賞球）を受け入れ、貯留する。賞球は、上皿２０に形成される払出口２０ａより払い出される。
【００２９】
また、上皿２０が遊技球で満杯となった場合は、遊技球の払い出し通路が変更され、遊技球は、遊技機本体の内部に設けられた球通路（図示せず）を介して上皿２０と下皿２２の間に形成された余剰球口（図示せず）まで導かれ、下皿２２に払い出される。
【００３０】
下皿２２に貯留された遊技球は、この下皿２２の前面に設けられる球抜きレバー９０が遊技者によって操作（左方向にスライド）されることにより、下皿２２の底面２２ｂに設けられた球抜き扉９１が開放され、下皿２２の下方に落とされる。この落とされた遊技球は、下皿２２の下方に設置した収納箱（図示せず）に貯められる。
【００３１】
［下皿の構成］
次に、下皿２２について、図２から図５を用いて説明する。
【００３２】
図２に示すように、下皿２２は、遊技機本体から着脱可能である。この下皿２２は、遊技機本体から取外した場合に上皿２０の下方から上方まで揺動可能とする下皿揺動支持手段３００で、遊技機本体に直交する側面２２ａ、２２ｂ（２２ａと略左右対称で略同一形状である）の２ヶ所が支持されている。
【００３３】
下皿揺動支持手段３００は、上皿２０の下面２０ｂに設けられた支点部９３ａ、９３ｂ（９３ａと左右対称で同一形状である）を支点として回動自在に一端が支持された第１のリンクアーム３０１と、下皿２２の側面２２ａ、２２ｂに設けられた支点部９３ｃ、９３ｄ（９３ｃと左右対称で同一形状である）を支点として回動自在に一端が支持された第２のリンクアーム３０２とから成り、第１のリンクアーム３０１の他端は、前記第２のリンクアーム３０２の他端に形成された回転支点部９４ａ、９４ｂ（９４ａと左右対称で同一形状である）に回動自在に連結されている。
【００３４】
これにより、下皿２２に貯留されている遊技球を上皿２０に運び入れるために、下皿２２に貯留されている遊技球を手で掴むことなく、下皿２２に貯留されている遊技球を上皿２０に移し替えることを容易に実行できる。また、着脱自在な下皿２２に、下皿揺動支持手段３００で支持しているので、皿の紛失を防止することが可能な遊技機を提供することができる。
【００３５】
また、下皿２２は、遊技機本体に面する側面２２ｃの一部に、下皿２２に貯留された遊技球を上皿２０に移し替える時に、遊技球を上皿２０に導くための注ぎ口９２が形成されている。
【００３６】
これにより、下皿２２に貯留している遊技球を上皿２０の中へ的確に導き、貯留することができる。
【００３７】
更に、下皿２２は、遊技者に面した側面の端部に固定手段３０３を有する。図８に示すように、固定手段３０３は、略Ｌ字型の形状であり、一方の端部３０３ａに引掛け部が形成され、他方の端部３０３ｂに弾性体（例えば、バネ等）により弾性復元力が与えられている。そして、遊技機本体には、固定手段３０３と係合するように爪部３０４が形成されている。
【００３８】
これにより、下皿２２を容易に固定することができるので、遊技中に下皿が不安定に動くなどの遊技者の遊技に支障をきたすことがない遊技機を提供すること可能である。
【００３９】
更に、下皿２２は、遊技機本体と直交する２つの側面にガイド溝３０７ａ、３０７ｂが形成されている。図６から図８に示すように、遊技機本体には、下皿２２を支持する保持部材３０５ａ、３０５ｂが突出して形成されている。保持部材３０５ａ、３０５ｂにはガイドレール３０６ａ、３０６ｂが設けられており、ガイドレール３０６ａ、３０６ｂは、下皿２２に形成されたガイド溝３０７ａ、３０７ｂと係合する。
【００４０】
これにより、ガイドレール３０６ａ、３０６ｂに沿って下皿２２を着脱可能となり、より容易に下皿を着脱することが可能である。
【００４１】
なお、本実施形態において、下皿２２は、２つの下皿揺動支持手段３００で、遊技機本体に直交する側面２２ａ、２２ｂの２ヶ所が支持されているが、１つの下皿揺動支持手段３００で、遊技機本体に面する側面２２ｃの１ヶ所で支持されてもよい。また、下皿揺動支持手段はこれらに限らず、別の態様であってもよく、例えば、弾性体（例えば、ゴムやバネ等）等の材質で構成されていてもよい。
【００４２】
上記の構成により、遊技機本体に下皿２２が装着されている場合は、下皿揺動支持手段３００としての第１のリンクアーム３０１と第２のリンクアーム３０２は、結合部で屈曲して、上皿２０と下皿２２の間に収納される。そして、遊技者が下皿２２に貯留されている遊技球を上皿２０に移し替える場合は、遊技者が固定手段３０３の弾性体（例えば、バネ等）が設けられた方の端部を押圧することで、遊技機本体に形成されている爪部３０４との係合が外れ、遊技者は下皿２２を遊技者側に引き出すことが可能となる。下皿２２は上皿２０の上部まで移動され、遊技機１０方向に回転されることで、遊技球は注ぎ口９２に導かれ上皿２０に貯留される。下皿２２を支持している下皿揺動支持手段３００は、下皿２２の移動回転にともない支点部９３ａ〜９３ｄ、回転支点部９４ａ、９４ｂで滑らかに回動することで、遊技者に負荷を与えることなく下皿２２の移動、回転を可能としている。
【００４３】
一方、遊技者が下皿２２を遊技機本体に装着する場合は、下皿２２のガイド溝３０７ａ、３０７ｂを保持部材３０５ａ、３０５ｂに設けられたガイドレール３０６ａ、３０６ｂに係合させ、挿入することで、固定手段３０３の引掛け部が遊技機本体の固定手段３０３の爪部３０４と係合し、下皿２２には、遊技機本体に固定される。
【００４４】
更に、図６と図７に示すように、ガイドレール３０６ｂ上にはマイクロスイッチ等のタッチセンサからなる検知手段３０８が設けられている。
【００４５】
尚、検知手段３０８としての検知センサは、マイクロスイッチ等の機械的なセンサではなく、保持部材３０５ａ、３０５ｂに設けられた発光素子および保持部材３０５ａ、３０５ｂに設けられた受光素子からなる光学的なセンサから構成しても良い。この場合には、保持部材３０５ａ、３０５ｂに下皿２２が取付けられたときに光を遮断することにより、下皿２２が取付けられたことを検知するようにしても良い。
【００４６】
検知センサ３０７は、下皿２２が保持部材３０５ａ、３０５ｂに取付けられたことを検知して主基板（図示せず）に信号を出力する。
【００４７】
主基板はパチンコ遊技機を制御する払い出し許可手段としてのメイン回路であり、各種制御のうちの１つとして賞球制御基板（図示せず）に賞球払い出し指令信号を出力するようになっており、賞球制御基板はこの信号に基づいて入賞した１個の遊技球に対して所定数の賞球を払い出すようになっている。また、この賞球制御基板は主基板から出力された球発射指令信号に応じて球発射装置（図示せず）により遊技球を発射するようになっている。
【００４８】
本実施形態では、主基板は検知手段３０８の出力情報に基づき、保持部材３０５ａ、３０５ｂに下皿２２が装着されていない場合には、賞球制御基板に信号を出力して発射ハンドル２６が操作されても球発射装置の作動を停止して遊技球を遊技盤１４の遊技領域に発射するのを停止し、保持部材３０５ａ、３０５ｂに下皿２２が装着された場合に、発射ハンドル２６が操作されたときに、賞球制御基板に信号を出力することにより、賞球制御基板によって球発射装置を作動して遊技球を遊技盤１４の遊技領域に発射するようになっている。本実施形態では、主基板が払い出し許可手段を構成している。
【００４９】
これにより、下皿２２の有無を検知する検知手段３０８と、検知情報に基づいて遊技球の払い出しを行う払い出し許可手段を有しているので、下皿２２がないのにも拘わらず、遊技球が払い出されてしまうことを確実に防止することが可能である。
【００５０】
また、下皿揺動支持手段３００の他の実施形態としては、図９及び図１０に示すように、上皿２０を下面２０ｂにそれぞれ案内部９５ａ、９５ｂ（９５ａと左右対称で同一形状である）を有する上皿とし、下皿２２を側面２２ａ、２２ｂにそれぞれ回動自在な支点部９３ｃ、９３ｄ（９３ｃと左右対称で同一形状である）を有する下皿とすることで、下皿揺動支持手段３００は、一端が滑動支点部９６ａ、９６ｂ（９６ａと左右対称で同一形状である）により、案内部９５ａ、９５ｂに滑動結合し、他端が支点部９３ｃ、９３ｄに枢着するリンク部材３０９とすることができる。
【００５１】
上記の構成により、下皿２２が遊技者側に引き出されると、下皿２２を支持している下皿揺動支持手段３００は、リンク部材３０９が滑動結合された滑動支点部９６ａ、９６ｂが案内部９５ａに導かれて遊技機本体側から遊技者側へ水平移動し、下皿２２が上皿２０の上方へ移動および回転されることにともない滑動支点部９６ａ、９６ｂ、回転支点部９３ａ、９３ｂで滑らかに回動する。
【００５２】
これにより、下皿揺動支持手段３００を１本のアームとした場合でも、遊技者は、下皿２２に貯留されている遊技球を上皿２０に運び入れるために、下皿２２に貯留されている遊技球を手で掴むことや負荷を強いられることなく、下皿２２に貯留されている遊技球を上皿２０に移し替えることを容易に実行できる。
【図面の簡単な説明】
【００５３】
【図１】本発明の一実施形態のパチンコ遊技機における概観を示す斜視図である。
【図２】本発明の一実施形態のパチンコ遊技機における概観を示す分解斜視図である。
【図３】本発明の一実施形態のパチンコ遊技機における概観を示す分解斜視図である。
【図４】本発明の一実施形態のパチンコ遊技機における概観を示す分解側面図である。
【図５】本発明の一実施形態のパチンコ遊技機における概観を示す分解側面図である。
【図６】本発明の一実施形態の下皿を取外した状態の保持部材の上面図である。
【図７】本発明の一実施形態の下皿を取外した状態の保持部材の正面図である。
【図８】本発明の一実施形態の下皿が固定手段に固定されている状態を示す上面図である。
【図９】本発明の一実施形態のパチンコ遊技機における概観を示す分解側面図である。
【図１０】本発明の一実施形態のパチンコ遊技機における概観を示す分解側面図である。
【符号の説明】
【００５４】
１０    パチンコ遊技機
１１    ガラス扉
１２    本体枠
１３    ベースドア
１４    遊技盤
２０    上皿
２０ａ    払出口
２２    下皿
２６    発射ハンドル
３０    ガイドレール
３９    大入賞口
４０    シャッタ
４４    始動口
９０    球抜きレバー
９１    球抜き扉
９２    注ぎ口
９３ａ〜９３ｄ    支点部
９４ａ、９４ｂ    回転支点部
９５ａ、９５ｂ    案内部
９６ａ、９６ｂ    滑動支点部
５６ａ〜５６ｄ    一般入賞口
３００    下皿揺動支持手段
３０１    第１のリンクアーム
３０２    第２のリンクアーム
３０３    固定手段
３０４    爪部
３０５ａ，ｂ    保持部材
３０６ａ，ｂ    ガイドレール
３０７ａ，ｂ    ガイド溝
３０８    検知手段
３０９    リンク部材
【図１】
2006204790.tif 000003
【図２】
2006204790.tif 000004
【図３】
2006204790.tif 000005
【図４】
2006204790.tif 000006
【図５】
2006204790.tif 000007
【図６】
2006204790.tif 000008
【図７】
2006204790.tif 000009
【図８】
2006204790.tif 000010
【図９】
2006204790.tif 000011
【図１０】
2006204790.tif 000012